(57)【特許請求の範囲】
【請求項１】
土砂を掘削するためのツルハシであって、
棒状の柄と、
前記柄の先端部からその一側方に向けて突出するクチバシ状部分を含み、前記クチバシ状部分がその先端側に向けて順次細くなる形状に形成されると共に、前記クチバシ状部分のうち前記柄の基端部に向く側の部分が前記柄の基端側に向けて順次薄くなる形状に形成された、掘削部と、
を備え、
前記クチバシ状部分の長尺方向のすべての部分が、全体として前記柄の基端側に向けて順次薄くなる断面三角形状をなし、
さらに、
両端部で前記クチバシ状部分の基端部を挟んで固定した状態で、前記柄の先端部にその先端部を囲むように固定される固定部材をさらに備え、
前記クチバシ状部分の基端部の両側部に位置決め凹部が形成され、
前記クチバシ状部分の基端部のうち前記位置決め凹部が形成された部分は、前記柄側に向うに従って徐々に幅が厚くなるように形成されており、
前記固定部材の両端部の少なくとも一部が前記位置決め凹部に嵌まった状態で前記クチバシ状部分の基端部に固定されている、ツルハシ。
【請求項２】
請求項１記載のツルハシであって、
前記掘削部は、前記柄の先端部から前記クチバシ状部分でのみ突出する形状に形成されている、ツルハシ。
【請求項３】
請求項１又は請求項２に記載のツルハシであって、
前記固定部材の両端部及びそれらの間の前記クチバシ状部分の基端部を貫通するように配設され、前記固定部材の両端部が前記クチバシ状部分の基端部を締付け固定した状態を維持する締結部材をさらに備える、ツルハシ。
【請求項４】
請求項１〜請求項３のいずれか１つに記載のツルハシであって、
前記固定部材の両端部と前記クチバシ状部分の基端部との間に、前記固定部材の両端部の締付けによって変形可能な介在物質が介在された状態で、前記固定部材の両端部が前記クチバシ状部分の基端部を挟んで固定している、ツルハシ。
【発明の詳細な説明】
【技術分野】
【０００１】
この発明は、固い地面を掘り起こすため等に用いられるツルハシに関する。
【背景技術】
【０００２】
ツルハシは、柄の一端部から鶴のクチバシ形状部分が突出する構成とされている。通常、ツルハシのクチバシ形状部分は、細長い四角錐形状を緩やかに湾曲させた形状とされている。
【発明の概要】
【発明が解決しようとする課題】
【０００３】
ところで、一般的にツルハシによる土砂の掘削作業は、クチバシ形状部分を土砂に突き刺した後、当該クチバシ形状部分の先端部によって土砂をこじること等により行われる。
【０００４】
しかしながら、従来のツルハシのクチバシ形状部分のうち柄の持ち手側を向く部分は、平坦な形状をなしている。このため、当該クチバシ形状部分の先端部によって土砂をこじる際に、前記平坦な部分が抵抗となるため、土砂の掘削作業等を円滑に行うことが困難である。
【０００５】
そこで、本発明は、ツルハシによる土砂の掘削作業等を円滑に行えるようにすることを目的とする。
【課題を解決するための手段】
【０００６】
上記課題を解決するため、第１の態様は、土砂を掘削するためのツルハシであって、棒状の柄と、前記柄の先端部からその一側方に向けて突出するクチバシ状部分を含み、前記クチバシ状部分がその先端側に向けて順次細くなる形状に形成されると共に、前記クチバシ状部分のうち前記柄の基端部に向く側の部分が前記柄の基端側に向けて順次薄くなる形状に形成された、掘削部と、を備える。また、前記クチバシ状部分の長尺方向のすべての部分が、全体として前記柄の基端側に向けて順次薄くなる断面三角形状をなす。
【０００７】
第２の態様は、第１の態様に係るツルハシであって、前記掘削部は、前記柄の先端部から前記クチバシ状部分でのみ突出する形状に形成されているものである。
【０００８】
また、第１の態様は、両端部で前記クチバシ状部分の基端部を挟んで固定した状態で、前記柄の先端部にその先端部を囲むように固定される固定部材をさらに備える。
【０００９】
また、第１の態様は、前記クチバシ状部分の基端部の両側部に位置決め凹部が形成され、前記固定部材の両端部の少なくとも一部が前記位置決め凹部に嵌まった状態で前記クチバシ状部分の基端部に固定されているものである。
【００１０】
また、第１の態様は、前記クチバシ状部分の基端部のうち前記位置決め凹部が形成された部分は、前記柄側に向うに従って徐々に幅が厚くなるように形成されているものである。
【００１１】
第３の態様は、第１又は第２の態様に係るツルハシであって、前記固定部材の両端部及びそれらの間の前記クチバシ状部分の基端部を貫通するように配設され、前記固定部材の両端部が前記クチバシ状部分の基端部を締付け固定した状態を維持する締結部材をさらに備える。
【００１２】
第４の態様は、第１〜第３のいずれか１つの態様に係るツルハシであって、前記固定部材の両端部と前記クチバシ状部分の基端部との間に、前記固定部材の両端部の締付けによって変形可能な介在物質が介在された状態で、前記固定部材の両端部が前記クチバシ状部分の基端部を挟んで固定しているものである。
【発明の効果】
【００１３】
第１の態様に係るツルハシによると、掘削部のクチバシ状部分は、その先端側に向けて順次細くなる形状に形成されているため、当該クチバシ状部分を硬い土砂等に容易に突刺すことができる。また、クチバシ状部分のうち柄の基端部に向く側の部分が前記柄の基端側に向けて順次薄くなる形状に形成されているため、クチバシ状部分は土砂等を押分けて当該土砂中を容易に移動することができる。結果、ツルハシによる土砂の掘削作業等を円滑に行える。
【００１４】
第２の態様によると、ツルハシの軽量化が可能となり、ツルハシを用いた掘削作業等をより容易に行える。
【００１５】
第１の態様によると、クチバシ状部分を容易に柄の先端部に固定できる。
【００１６】
第１の態様によると、固定部材をクチバシ状部分により確実に一定位置に固定できる。
【００１７】
第１の態様によると、前記クチバシ状部分の基端部のうち前記位置決め凹部が形成された部分は、前記柄側に向うに従って徐々に幅が厚くなるように形成されているため、固定部材間から前記クチバシ状部分が抜け難い。
【００１８】
第３態様によると、締結部材によって、固定部材をクチバシ状部分により確実に固定できる。
【００１９】
第４の態様によると、固定部材の両端部とクチバシ状部分の基端部との間に、介在物質が変形した状態で介在しているため、固定部材とクチバシ状部分とをより確実にがたつき無く固定できる。
【図面の簡単な説明】
【００２０】
【図１】実施形態に係るツルハシを示す側面図である。
【図２】図１のＩＩ−ＩＩ線断面図である。
【図３】図１のＩＩＩ−ＩＩＩ線断面図である。
【図４】図１のＩＶ−ＩＶ線断面図である。
【図５】図１のＶ−Ｖ線断面図である。
【図６】掘削部の変形例を示す断面図である。
【図７】掘削部の他の変形例を示す断面図である。
【図８】掘削部のさらに他の変形例を示す断面図である。
【図９】図１の部分拡大図である。
【図１０】ツルハシの部分拡大底面図である。
【図１１】固定部材による固定作業を示す説明図である。
【図１２】固定部材による固定作業を示す説明図である。
【図１３】ツルハシによる掘削作業例を示す説明図である。
【図１４】図１３のＸＩＶ−ＸＩＶ線における説明図である。
【図１５】変形例に係るツルハシを示す部分側面図である。
【図１６】同上のツルハシの部分拡大底面図である。
【発明を実施するための形態】
【００２１】
以下、実施形態に係るツルハシについて説明する。図１はツルハシ２０を示す側面図であり、図２は図１のＩＩ−ＩＩ線断面図であり、図３は図１のＩＩＩ−ＩＩＩ線断面図であり、図４は図１のＩＶ−ＩＶ線断面図であり、図５は図１のＶ−Ｖ線断面図である。また、図９は図１の部分拡大図であり、図１０はツルハシ２０の部分拡大底面図であり、図１１及び図１２はクチバシ状部分４２を固定部材５０によって柄３０の先端部に固定する作業を示す説明図である。
【００２２】
このツルハシ２０は、土砂を掘削するためのものであり、柄３０と、掘削部４０とを備える。ツルハシ２０は、土砂を掘削するために適した大きさ及び重さを有している。もちろん、ツルハシは、土砂を掘削する用途以外、例えば、岩石の破砕等に用いられてもよい。
【００２３】
柄３０は、棒状に形成されている。ここでは、柄３０は、木製の棒である。柄３０の長さは、特に限定されないが、柄３０を両手で掴んで振回すのに適した長さ寸法、例えば、７０〜１１０ｃｍ、好ましくは、８０ｃｍ〜１１０ｃｍ程度の長さ寸法に設定されている。柄３０の長手方向に対して直交する方向の断面形状は、手で掴みやすいように、楕円形状又は円形状であることが好ましい。ここでは、柄３０の断面形状は、楕円形状に形成されている。この柄３０の先端部（図１の下側端部）に掘削部４０が取付けられている。
【００２４】
掘削部４０は、柄３０の先端部から、当該柄３０の延在方向に対して直交する一側方に向けて突出するクチバシ状部分４２を含む。ここでは、クチバシ状部分４２は、緩やかな弧を描く長尺形状に形成されている。そして、湾曲による凸形状部分を柄３０の先端側に向けた姿勢で、クチバシ状部分４２の基端部が柄３０の先端部に取付固定されている。
【００２５】
クチバシ状部分４２は、その先端側に向けて幅寸法が徐々に細くなる形状に形成されている。なお、クチバシ状部分４２の幅寸法は、柄３０の延在方向及びクチバシ状部分４２の延在方向の両方に対して直交する方向における、クチバシ状部分４２の寸法である。これにより、クチバシ状部分４２を地面等に容易に突刺せるようになっている。
【００２６】
また、クチバシ状部分４２のうち柄３０の基端側に向く側の長尺状縁部分は、当該柄３０の基端側に向けて幅寸法が順次薄くなる形状部分４４に形成されている。前記形状部分４４は、刃付けされた部分であると捉えることもできる。ここでは、クチバシ状部分４２のうち柄３０の基端側に向く前記形状部分４４は、両刃形状に形成されている。
【００２７】
なお、ここでは、クチバシ状部分４２のうち前記形状部分４４以外の部分４５も、柄３０の基端側に向けて幅寸法が順次薄くなる形状に形成されているが、この部分４５は、同幅に形成されていてもよい。
【００２８】
また、クチバシ状部分４２において、柄３０の延在方向における前記形状部分４４の長さは、クチバシ状部分４２の基端側部分から先端側に向うに従って徐々に小さくなるように設定されている。また、クチバシ状部分４２全体としてみても、柄３０の延在方向におけるクチバシ状部分４２の長さは、クチバシ状部分４２の基端側から先端側に向うに従って徐々に小さくなるように設定され、クチバシ状部分４２のうち前記形状部分４４以外の部分４５に着目してみても、柄３０の延在方向における前記部分４５の長さは、クチバシ状部分４２の基端側から先端側に向うに従って徐々に小さくなるように設定されている。これにより、クチバシ状部分４２を土砂等に対して容易に突刺すことができ、また、クチバシ状部分４２が先端側に至る迄前記部分４５によって補強され、容易に欠けたりすることがないように仕上げられている。
【００２９】
また、クチバシ状部分４２のうち柄３０の先端側に向く側の長尺状縁部分は、柄３０の先端側に向く、平滑でかつ長尺な面４６に形成されている。前記面４６の最大幅部分の寸法は、例えば、１ｃｍ〜３ｃｍである。これにより、クチバシ状部分４２は、土砂を掘削するのに好ましいある程度の幅を確保できる。
【００３０】
クチバシ状部分４２は、金属等によって形成されており、好ましくは、マンガン鋼によって形成されている。また、クチバシ状部分４２の長さ寸法は、例えば、２０ｃｍ〜５０ｃｍであり、好ましくは、３０ｃｍ〜４０ｃｍである。
【００３１】
本実施形態では、掘削部４０は、柄３０の先端部から前記クチバシ状部分４２でのみ柄３０の一側方に突出している。つまり、ツルハシ２０を全体的に視ると、柄３０の先端部から一側方にのみクチバシ状部分４２が突出する形状を呈しており、柄３０の先端部からクチバシ状部分４２の反対側には突出していない。もっとも、柄３０の先端部において、クチバシ状部分４２の反対側から突出する部分が形成されていてもよい。
【００３２】
図６〜図８に、クチバシ状部分４２の変形例を説明する。図６〜図８は、それぞれ図２と同位置におけるクチバシ状部分の断面を示している。図６に示す変形例のように、クチバシ状部分４２に対応するクチバシ状部分４２Ｂのうち柄３０の先端側に向く両側部が丸くなるように加工されていてもよい。また、図７に示す変形例のように、クチバシ状部分４２に対応するクチバシ状部分４２Ｃの両側部が、当該クチバシ状部分４２Ｃのうち柄３０の基端側に向く側の長尺状縁部分から当該柄３０の先端側に向く長尺部分に向けて同一傾斜形状で傾く形状、即ち、クチバシ状部分４２Ｃの縦断面形状が全体として三角形状（ここでは、鋭角２等辺三角形状）をなすように形成されていてもよい。また、図８に示す変形例のクチバシ状部分４２Ｄのように、図７に示す変形例において、柄３０の先端側に向く両側部が丸くなるように加工されていてもよい。
【００３３】
クチバシ状部分４２は、固定部材５０を用いた次の構成によって、柄３０の先端部に固定されている。
【００３４】
すなわち、クチバシ状部分４２の基端部の両側部に一対の位置決め凹部４８が形成されている。位置決め凹部４８は、クチバシ状部分４２の基端部側に向く第１面４８ａと、当該第１面４８ａの奥側の辺からクチバシ状部分４２の基端部に向けて外向き傾斜する第２面４８ｂとを有している。位置決め凹部４８の深さ方向における第１面４８ａの寸法は、後述する固定部材５０の端部の厚みと同じに設定されている。第２面４８ｂは、第１面４８ａの奥側の辺からクチバシ状部分４２の基端部の側辺に達するように形成されている。これにより、クチバシ状部分４２の基端部のうち両側部に位置決め凹部４８が形成された部分は、クチバシ状部分４２の基端部、即ち、柄３０側に向うに従って徐々に幅が厚くなるように形成されている。
【００３５】
なお、ここでは、クチバシ状部分４２の基端部の両側部に一対の位置決め凹部４８が形成されているが、クチバシ状部分４２の基端部のうち両側部の一方にのみ位置決め凹部４８が形成されていてもよいし、そのような位置決め凹部４８が形成されていることは必須ではない。
【００３６】
また、クチバシ状部分４２の基端部には、その両側に貫通する貫通凹部４９が形成されている（図１１及び図１２参照）。ここでは、クチバシ状部分４２の基端部のうち上記一対の位置決め凹部４８が形成された部分に、柄３０の延在方向に沿って間隔をあけて２つの貫通凹部４９が形成されている。ここでは、貫通凹部４９は、クチバシ状部分４２の外周囲に部分的に開口するように形成されているが、周囲全体が囲まれた孔形状であってもよい。貫通凹部４９は、後述するネジ部を挿通可能な大きさに形成されている。
【００３７】
上記クチバシ状部分４２は、固定部材５０を用いて柄３０の先端部に固定されている。固定部材５０は、金属板を曲げ加工等することにより形成された部材であり、柄３０の先端部を囲む柄固定部５２と、当該柄固定部５２の両端部に延設された延設部５４とを備える。
【００３８】
柄固定部５２は、柄３０の先端部の外周形状に応じて曲げられた形状、ここでは、Ｕ字形状の先端部を狭めた形状、即ち、馬蹄形状に形成されている。
【００３９】
延設部５４は、板形状に形成されており、柄固定部５２の先端部から延出している。また、一対の延設部５４の間の寸法は、先端側に向けて徐々に狭くなるようになっている。柄固定部５２で柄固定部５２の先端部を囲んだ状態で、一対の延設部５４の延設長さは、当該一対の延設部５４の先端部が上記位置決め凹部４８の第１面４８ａに達する程度に設定されている。
【００４０】
また、上記延設部５４には、貫通凹部５５が形成されている（図１１及び図１２参照）。貫通凹部５５は、延設部５４をクチバシ状部分４２の側部に重ねた状態で、上記貫通凹部４９と対応する位置に形成されている。すなわち、そして、クチバシ状部分４２の基端部に形成された貫通凹部４９の両側開口延長上に、一対の延設部５４のそれぞれの貫通凹部５５が位置するように配設される。
【００４１】
そして、固定部材５０の両端部である一対の延設部５４でクチバシ状部分４２の基端部を挟込んで固定した状態で、柄固定部５２が柄３０の先端部に当該先端部を囲んだ状態とされる。この状態では、柄固定部５２の内周面は、柄３０の先端部の外周面になるべくぴったりと密着していることが好ましい。
【００４２】
この状態で、締結部材としてのボルト７０が固定部材５０の両端部である一対の延設部５４の貫通凹部５５及びクチバシ状部分４２の基端部の貫通凹部４９を貫通するように配設され、一方の延設部５４の外面に突出するボルト７０の先端部にナット７２が螺合締結される。これにより、固定部材５０の一対の延設部５４がクチバシ状部分４２の基端部を挟込んで締付け固定され、また、その締付け固定状態が維持される。なお、ボルト７０及びナット７２の締付け後、ボルト７０の頭部及びナット７２を、圧壊、削る等して、多角形形状を潰しておくことが好ましい。また、ねじ山等についても潰しておき、ボルト７０及びナット７２の緩みを抑制しておくことが好ましい。また、締結部材としては、ボルト７０及びナット７２の他、リベット等が用いられてもよい。
【００４３】
上記締付け固定状態では、固定部材５０の一対の延設部５４が位置決め凹部４８に嵌まった状態となる。より具体的には、一対の延設部５４の先端部が位置決め凹部４８の第１面４８ａに当接すると共に、一対の延設部５４の内向き面が一対の位置決め凹部４８の第２面４８ｂに対向した状態となる。このため、クチバシ状部分４２がより確実に一定位置にがたつきを抑制された状態で固定される。また、クチバシ状部分４２がその先端側に抜けようとしても、一対の延設部５４がクチバシ状部分４２の基端部であって基端部に向けて徐々に厚みが大きくなる部分を挟んでいるため、そのような抜けはより確実に抑制される。
【００４４】
また、ここでは、固定部材５０の一対の延設部５４とクチバシ状部分４２の基端部との間に、一対の延設部５４の締付けによって変形可能な介在物質が介在された状態で、一対の延設部５４がクチバシ状部分４２の基端部を挟んで固定している。ここでは、前記介在物質として、板状樹脂、特に、板状樹脂を用いている。そして、一対の延設部５４によってクチバシ状部分４２の基端部を挟込む際に、図１１及び図１２に示すように、板状樹脂８０を、クチバシ状部分４２の基端部の両側面と一対の延設部５４との間に配設する。この状態で、ボルト７０にナット７２を螺合締付けして、一対の延設部５４の間でクチバシ状部分４２の基端部を挟込むようにする。すると、板状樹脂８０が螺合締結による挟込み力によって、クチバシ状部分４２の基端部の両側面と一対の延設部５４との隙間を埋めるように変形し、それらの間に充填物８２として介在することになる。これにより、クチバシ状部分４２の基端部と一対の延設部５４とのがたつきをより確実に抑制することができる。介在物質としては、樹脂の他、アルミニウム等の変形容易な金属、木材等を用いてもよい。
【００４５】
また、ここでは、上記固定部材５０を用いてクチバシ状部分４２を柄３０の先端部に固定した後、柄３０の先端部にくさび８６が打込まれている。このくさび８６によって柄３０の先端部の外径が大きくなり、柄３０の先端部からの固定部材５０の抜けが抑制されている。
【００４６】
図１３及び図１４は本ツルハシ２０を用いて土砂１００を掘削する状態を示す説明図である。
【００４７】
例えば、作業者が両手で柄３０を掴んで、本ツルハシ２０を振回し、クチバシ状部分４２の先端部を土砂１００に突刺すと、図１３に示す状態となる。なお、クチバシ状部分４２は、その先端側に向けて順次細くなる形状に形成されているため、当該クチバシ状部分４２を硬い土砂等に容易に突刺すことができる。
【００４８】
この状態で、作業者が柄３０を動かして土砂１００を掘り起し又は砕こうとする場合には、クチバシ状部分４２のうち柄３０の基端側に向う部分が土砂１００中を進むことになる（矢符Ｐ参照）必要がある。この際、土砂１００がクチバシ状部分４２のうち柄３０の基端側に向けて幅寸法が順次薄くなる形状部分４４に当ると、土砂１００は当該形状部分の傾斜形状に従って、クチバシ状部分４２の両側部に振分けられるようになる（矢符Ｑ参照）。つまり、クチバシ状部分４２は、土砂１００を両側部に押分けるようにして、土砂１００中を進むことができる。
【００４９】
このため、ツルハシ２０による土砂の掘削作業等を円滑に行える。
【００５０】
また、土砂１００中に、草木の根等が存在していた場合には、上記クチバシ状部分４２はそのような根等も切断又は破砕することができる。この点からも、ツルハシ２０による土砂１００の掘削作業等を円滑に行える。
【００５１】
また、クチバシ状部分４２のうち柄３０の基端側を向く部分が、柄３０の基端側に向けて幅寸法が順次薄くなる形状部分４４に形成されている分、クチバシ状部分４２の軽量化が可能となる。これにより、ツルハシ２０を扱いやすくなる。また、掘削部４０は、柄３０の先端部からクチバシ状部分４２でのみ突出する形状に形成され、その反対側に突出して掘削用に用いられる部分を有さないため、この点でも、ツルハシ２０の軽量化が可能となり、ツルハシ２０を容易に扱える。
【００５２】
また、固定部材５０が、両端部の一対の延設部５４でクチバシ状部分４２の基端部を挟んで固定した状態で、柄３０の先端部にその先端部を囲むように固定されているため、クチバシ状部分４２を容易に柄３０の先端部に固定できる。
【００５３】
また、柄３０を囲むように固定される固定部材５０は、クチバシ状部分４２とは別部材であるため、クチバシ状部分４２については、作業性、耐久性等を考慮して、マンガン鋼等の硬い材料を用い、固定部材５０については、取付加工作業性を考慮して、曲げ加工等が容易な材料を用いることができる。
【００５４】
また、クチバシ状部分４２の基端部に位置決め凹部４８が形成され、固定部材５０の延設部５４が位置決め凹部４８に嵌まった状態で、クチバシ状部分４２の基端部に固定されているため、クチバシ状部分４２をより確実に一定位置に固定できる。
【００５５】
また、前記クチバシ状部分４２の基端部のうち位置決め凹部４８が形成された部分は、柄３０側に向うに従って徐々に幅が厚くなるように形成されているため、一対の延設部５４でクチバシ状部分４２の基端部を挟込んだ状態で、クチバシ状部分４２がその先端側に抜け難い。
【００５６】
また、締結部材としてのボルト７０及びナット７２によって、固定部材５０の一対の延設部５４がクチバシ状部分４２の基端部を締付け固定した状態を維持しているため、固定部材５０とクチバシ状部分４２の基端部とをより確実に固定できる。
【００５７】
また、一対の延設部５４とクチバシ状部分４２の基端部との間に、樹脂等が変形した充填物８２が充填介在配置されているため、固定部材５０とクチバシ状部分４２とをより確実にがたつきを抑制した状態で固定できる。
【００５８】
なお、上記実施形態では、クチバシ状部分４２を、固定部材５０を用いて柄３０の先端部に固定した例で説明したが、その他の構成によって、クチバシ状部分が柄の先端部に固定されてもよい。
【００５９】
例えば、図１５及び図１６に示す変形例では、クチバシ状部分４２に対応するクチバシ状部分１４２の基端部に、柄３０の先端部を嵌め込み可能な環状固定部１５０が一体形成されている。そして、柄３０の先端部が上記環状固定部１５０に嵌め込まれた状態で、柄３０の先端部にくさび８６が打込まれることによって、柄３０の先端部から環状固定部１５０が抜出ないようになっている。
【００６０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６１】
２０  ツルハシ
３０  柄
４０  掘削部
４２、１４２  クチバシ状部分
４８  位置決め凹部
４９  貫通凹部
５０  固定部材
５２  柄固定部
５４  延設部
５５  貫通凹部
７０  ボルト
７２  ナット
８０  板状樹脂
８２  充填物
【図１】
0005898159.tif 000002
【図２】
0005898159.tif 000003
【図３】
0005898159.tif 000004
【図４】
0005898159.tif 000005
【図５】
0005898159.tif 000006
【図６】
0005898159.tif 000007
【図７】
0005898159.tif 000008
【図８】
0005898159.tif 000009
【図９】
0005898159.tif 000010
【図１０】
0005898159.tif 000011
【図１１】
0005898159.tif 000012
【図１２】
0005898159.tif 000013
【図１３】
0005898159.tif 000014
【図１４】
0005898159.tif 000015
【図１５】
0005898159.tif 000016
【図１６】
0005898159.tif 000017